(57)【要約】【課題】  通気口から侵入した粉塵等による壁面部分の汚れを低減することができる壁面保護シートを提供する。【解決手段】  壁面保護シート１１は、通気口７１の周囲の全周を覆う大きさの不織布１３と、不織布１３の裏面に形成され、不織布１３を壁面８７に脱着自在に貼り付けることができる粘着層３８とを備える。そのため壁面保護シート１１を通気口７１の周囲に貼着し、通気口７１周囲の壁面８７を不織布１３で覆うことができる。これにより通気口７１の本体７３を通して粉塵等が侵入しても、それらは不織布１３に付着すると共に粘着層３８で通過が阻止されるため壁面８７には到着しない。【選択図】  図４
2014118783.tif 000002
【特許請求の範囲】
【請求項１】
壁面に形成された通気口の周囲を覆うための壁面保護シートであって、
前記通気口の周囲の少なくとも一部の壁面部分を覆う大きさのシート体と、
前記シート体の一方面に形成され、前記シート体を前記壁面部分に脱着自在に貼り付けることができる粘着層とを備えた、壁面保護シート。
【請求項２】
前記シート体は、前記通気口の周囲の全周を覆う大きさの不織布よりなり、
前記粘着層は、前記シート体のほぼ全面に形成される、請求項１記載の壁面保護シート。
【請求項３】
前記シート体の中央には、前記通気口の外周形状に応じてその内方を切り取るための切断用ミシン目が形成される、請求項２記載の壁面保護シート。
【請求項４】
前記切断用ミシン目は、正方形形状を有し、
前記切断用ミシン目の角の各々から外方に放射状に延びる調整用ミシン目が更に形成される、請求項３記載の壁面保護シート。
【請求項５】
前記切断用ミシン目と前記調整用ミシン目とからなる組は相似状に複数形成され、相互に接続しない、請求項４記載の壁面保護シート。
【請求項６】
前記切断用ミシン目の対向する辺は、前記不織布の生産時の流れ方向に平行に形成され、
前記調整用ミシン目の外方端部を横切るように、前記流れ方向に直交する方向に切断阻止用ミシン目が更に形成される、請求項４又は請求項５記載の壁面保護シート。
【請求項７】
前記粘着層は、少なくとも前記シート体の外周端部を除いて形成される、請求項１から請求項６のいずれかに記載の壁面保護シート。
【発明の詳細な説明】
【技術分野】
【０００１】
この発明は壁面保護シートに関し、特に、室内の壁面に形成された通気口の周囲を覆う壁面保護シートに関するものである。
【背景技術】
【０００２】
家屋等では、室内の壁面に形成された通気口を通して外気は室内に取り入れられているが、その際、外気に粉塵等が含まれることがある。そこで特許文献１においては、通気口をフィルタ膜で覆うことで外気に含まれる粉塵等を取り除き、室内に清浄な空気を取り入れるフィルタ装置が開示されている。
【０００３】
又、室内側に開放された通気口によって室内の美観が損なわれないように、室内側の通気口の本体端部を遮蔽自在に覆う遮蔽体の設けられた通気口が提供されている。
【０００４】
図９は、このような遮蔽体の設けられた通気口の使用状態における外観形状を示した正面図である。
【０００５】
図を参照して、通気口７１は、本体７３と、遮蔽体７９とを中心として構成されており、室内の壁面８７に形成されている。
【０００６】
図１０は、図９で示したＸ−Ｘラインから見た拡大図である。
【０００７】
図を参照して、本体７３は家屋の壁８８を貫通するようにして埋め込まれている。本体７３の内部には、外部からの虫等の侵入を防止する網７６と、外気に含まれる花粉を取り除く花粉フィルタ７７とが設けられている。又、外壁８９側の本体７３上方には、雨水等が本体７３内に浸入するのを遮断するフード８５が取り付けられている。
一方で、遮蔽体７９はスライド体８０に接続され、室内側に開放された本体端部７４を遮蔽自在に設けられている。そして通気口７１の使用時には、遮蔽体７９は壁面８７から室内側へと突出した状態になり、通気路が確保される。
【先行技術文献】
【特許文献】
【０００８】
【特許文献１】登録実用新案第３０４１７６６号公報
【発明の概要】
【発明が解決しようとする課題】
【０００９】
特許文献１で開示されたようなフィルタ膜で覆うことのできる通気口であれば特に問題はない。しかしながら上記のように遮蔽体７９が設けられた通気口７１にあっては、遮蔽体７９が設けられているために、本体端部７４を更にフィルタ膜で覆うことは容易ではない。そのため外気に含まれる粉塵等によって通気口７１の周囲の壁面８７が汚れてしまう場合がある。すなわち、そのような通気口７１にあっては、本体７３内部を通過した外気は遮蔽体７９に衝突し、遮蔽体７９を中心として放射状に拡散するが、その際に、花粉フィルタ７７によって除去できない微細な粉塵等が外気と共に拡散し、それらが通気口７１周囲の壁面８７に付着することで通気口７１周囲の壁面８７が汚れてしまう虞がある。
【００１０】
この発明は上記のような課題を解決するためになされたもので、室内の壁面に形成された通気口の周囲を粉塵等による汚れから防止する壁面保護シートを提供することを目的とする。
【課題を解決するための手段】
【００１１】
上記の目的を達成するために、請求項１記載の発明は、壁面に形成された通気口の周囲を覆うための壁面保護シートであって、通気口の周囲の少なくとも一部の壁面部分を覆う大きさのシート体と、シート体の一方面に形成され、シート体を壁面部分に脱着自在に貼り付けることができる粘着層とを備えたものである。
【００１２】
このように構成すると、壁面部分がシート体に覆われる。
【００１３】
請求項２記載の発明は、請求項１記載の発明の構成において、シート体は、通気口の周囲の全周を覆う大きさの不織布よりなり、粘着層は、シート体のほぼ全面に形成されるものである。
【００１４】
このように構成すると、通気口から侵入した粉塵等は、不織布に付着すると共に粘着層で通過が阻止されるため壁面部分に到達しない。
【００１５】
請求項３記載の発明は、請求項２記載の発明の構成において、シート体の中央には、通気口の外周形状に応じてその内方を切り取るための切断用ミシン目が形成されるものである。
【００１６】
このように構成すると、シート体の切り取り作業が容易となる。
【００１７】
請求項４記載の発明は、請求項３記載の発明の構成において、切断用ミシン目は、正方形形状を有し、切断用ミシン目の角の各々から外方に放射状に延びる調整用ミシン目が更に形成されるものである。
【００１８】
このように構成すると、調整用ミシン目の各々を一部切断することにより、それらの間のシート体の部分を通気口に沿って起こすことが可能となる。
【００１９】
請求項５記載の発明は、請求項４記載の発明の構成において、切断用ミシン目と調整用ミシン目とからなる組は相似状に複数形成され、相互に接続しないものである。
【００２０】
このように構成すると、通気口の大きさの許容範囲が拡大する。
【００２１】
請求項６記載の発明は、請求項４又は請求項５記載の発明の構成において、切断用ミシン目の対向する辺は、不織布の生産時の流れ方向に平行に形成され、調整用ミシン目の外方端部を横切るように、流れ方向に直交する方向に切断阻止用ミシン目が更に形成されるものである。
【００２２】
このように構成すると、調整用ミシン目の外方端部の裂けが抑えられる。
【００２３】
請求項７記載の発明は、請求項１から請求項６のいずれかに記載の発明の構成において、粘着層は、少なくともシート体の外周端部を除いて形成されるものである。
【００２４】
このように構成すると、シート体の外周端部は壁面部分に貼着されない。
【発明の効果】
【００２５】
以上説明したように、請求項１記載の発明は、壁面部分がシート体に覆われるので、壁面部分の汚れが低減される。
【００２６】
請求項２記載の発明は、請求項１記載の発明の効果に加えて、通気口から侵入した粉塵等は、不織布に付着すると共に粘着層で通過が阻止されるため壁面部分に到達しない。そのため、粉塵等の拡散を抑制すると共に壁面部分の汚れが確実に防止される。
【００２７】
請求項３記載の発明は、請求項２記載の発明の効果に加えて、シート体の切り取り作業が容易となるため、使い勝手が向上する。
【００２８】
請求項４記載の発明は、請求項３記載の発明の効果に加えて、調整用ミシン目の各々を一部切断することにより、それらの間のシート体の部分を通気口に沿って起こすことが可能となるため、切断用ミシン目より大きな通気口にもそのまま使用可能となる。
【００２９】
請求項５記載の発明は、請求項４記載の発明の効果に加えて、通気口の大きさの許容範囲が拡大するため、更に使用勝手が向上する。
【００３０】
請求項６記載の発明は、請求項４又は請求項５記載の発明の効果に加えて、調整用ミシン目の外方端部の裂けが抑えられるため、使用時の信頼性が向上する。
【００３１】
請求項７記載の発明は、請求項１から請求項６のいずれかに記載の発明の効果に加えて、シート体の外周端部は壁面部分に貼着されないため、シート体の剥し作業が容易となる。
【図面の簡単な説明】
【００３２】
【図１】この発明の第１の実施の形態による壁面保護シートの表面の外観形状を示した平面図である。
【図２】図１に対応した図であって、壁面保護シートの裏面の外観形状を示した平面図である。
【図３】この発明の第１の実施の形態による壁面保護シートの使用状態の１例を示した正面図である。
【図４】図３で示したＩＶ−ＩＶラインの拡大図である。
【図５】この発明の第１の実施の形態による壁面保護シートの使用状態の他の例を示した正面図である。
【図６】図５で示したＶＩ−ＶＩラインの拡大図である。
【図７】この発明の第１の実施の形態による壁面保護シートの使用状態の他の例を示した図である。
【図８】図７で示したＶＩＩＩ−ＶＩＩＩラインの拡大図である。
【図９】従来の遮蔽体が設けられた通気口の使用状態における外観形状を示した正面図である。
【図１０】図９で示したＸ−Ｘラインから見た拡大図である。
【発明を実施するための形態】
【００３３】
図１はこの発明の第１の実施の形態による壁面保護シートの表面の外観形状を示した平面図である。
【００３４】
図を参照して、壁面保護シート１１はポリエチレンテレフタレート（ＰＥＴ）樹脂からなるシート状の不織布１３を主体として構成されており、後述する通気口の周囲の全周を覆う大きさの正方形形状を有している。尚、この実施の形態による不織布１３には、縦方向と横方向とに強度差を生じる製法の１つであるケミカルボンド法によって製造されたものを使用している。
【００３５】
不織布１３の中央には、通気口の外周形状に応じてその内方を切り取るための第１切断用ミシン目１５が正方形形状に形成されている。この時、第１切断用ミシン目１５を構成する対向する辺１７ａと１７ｂとは、不織布１３の生産時の流れ方向（本図では上下方向）に平行に形成されている。
【００３６】
又、第１切断用ミシン目１５の角１８の各々からは、第１調整用ミシン目２０が第１切断用ミシン目１５の中心から外方に向かって放射状に延びている。そして第１調整用ミシン目２０の外方端部を横切るように、上述した流れ方向に直交する方向に第１切断阻止用ミシン目２４が形成されている。
【００３７】
更に、不織布１３には、第１切断用ミシン目１５と、第１調整用ミシン目２０と、第１切断阻止用ミシン目２４とからなる組に対して相似状に、第２切断用ミシン目２８と、第２調整用ミシン目３０と、第２切断阻止用ミシン目３２とからなる組が形成されている。尚、これらの組は不織布１３において互いに接続していない。
【００３８】
一方、不織布１３の中央であって第１切断用ミシン目１５よりも内方には、その内方が円形形状に切り取られてなる開口部３４が形成されている。
【００３９】
図２は図１に対応した図であって、壁面保護シート１１の裏面の外観形状を示した平面図である。
【００４０】
図を参照して、壁面保護シート１１の裏面には、不織布１３の外周端部３６と、第１及び第２切断用ミシン目１５、２８と、第１及び第２調整用ミシン目２０、３０と、第１及び第２切断阻止用ミシン目２４、３２との各々の周囲と、開口部３４の周囲とを除いて粘着層３８が形成されている。尚、粘着層３８は、壁面保護シート１１を取り外したときに被取付け面にその一部が残存しにくいウレタン系の粘着剤を用いて構成されている。
【００４１】
図３はこの発明の第１の実施の形態による壁面保護シート１１の使用状態の１例を示した正面図である。尚、通気口の構成は図９で示したものと同一であるため、ここでの説明は繰り返さない。
【００４２】
図を参照して、使用に際しては、通気口７１の外周形状に合わせて不織布１３の内方を切り取り、通気口７１の周囲の全周を覆うようにして壁面保護シート１１を壁面８７に貼着する。この時、第１切断用ミシン目１５が形成されているため、不織布１３の切り取り作業は容易となり使い勝手が向上する。
【００４３】
図４は図３で示したＩＶ−ＩＶラインの拡大図である。尚、通気口７１の構成については、図１０で示したものと同一であるため、ここでの説明は繰り返さない。
【００４４】
図を参照して、通気口７１の本体７３を通過した外気は、遮蔽体７９に衝突し、遮蔽体７９を中心として放射状に拡散する。この時、通気口７１周囲の壁面８７は壁面保護シート１１によって覆われているため、外気に粉塵等が含まれていてもそれらは壁面保護シート１１の不織布１３に付着すると共に粘着層３８で通過が阻止されるため壁面８７に到達することはない。これにより粉塵等の拡散を抑制すると共に通気口７１周囲の壁面８７の汚れを確実に防止することができる。
【００４５】
尚、壁面保護シート１１にあっては、粘着層３８は不織布１３の外周端部を除いて形成されているため、不織布１３の外周端部は壁面８７に貼着されていない。そのため、不織布１３の外周端部を掴むことで壁面保護シート１１を容易に取り外すことができる。
【００４６】
図５はこの発明の第１の実施の形態による壁面保護シート１１の使用状態の他の例を示した正面図である。
【００４７】
図を参照して、この通気口４１にあっては、図３に示したものよりも本体４２と遮蔽体４４との外周形状が大きい。
【００４８】
使用に際しては、第１切断用ミシン目１５（図１参照）で不織布１３の内方を切り取り、第１調整用ミシン目２０の各々を一部切断する。この時、不用意に力を入れすぎても、第１切断阻止用ミシン目２４によって第１調整用ミシン目２０の外方端部の裂けが抑えられるため、壁面保護シート１１の使用時の信頼性は向上する。このようにして通気口４１の外周形状に合わせた後で通気口４１の周囲の全周を覆うようにして壁面保護シート１１を壁面８７に貼着する。
【００４９】
図６は図５で示したＶＩ−ＶＩラインの拡大図である。
【００５０】
図５と図６とを参照して、上述したように第１調整用ミシン目２０の各々の一部が切断されているため、第１調整用ミシン目２０の間の不織布部分４５を通気口４１の本体端部４３に沿って起こすことができる。従って、第１切断用ミシン目１５よりも大きな外周形状の通気口４１に対しても、壁面保護シート１１をそのまま使用することができる。
【００５１】
尚、第１調整用ミシン目２０を切断してもなお、壁面保護シート１１の内方を通気口の外周形状に適合させることができない場合には、第２切断用ミシン目２８で不織布１３の内方を切り取れば、通気口の周囲の全周を壁面保護シート１１で覆うことができる。それでも通気口の外周形状に適合させることができなければ、第２調整用ミシン目３０の各々を一部切断して、通気口の外周形状に適合させれば良い。尚、第２切断阻止用ミシン目３２によって第２調整用ミシン目３０の外方端部の裂けが抑えられるため、壁面保護シート１１の使用時の信頼性は向上する。このように壁面保護シート１１では通気口の大きさの許容範囲が拡大されるので、更に使用勝手が向上する。
【００５２】
図７はこの発明の第１の実施の形態による壁面保護シート１１の使用状態の他の例を示した図である。
【００５３】
図を参照して、通気口５１は本体５２を中心として構成されており本体端部５３を覆う遮蔽体は設けられていない。そのため室内側から通気口５１を正面から見たときには、本体５２内部に設けられた網５４と、花粉フィルタ５５とが視認できる。このような通気口５１にあっては、壁面保護シート１１の開口部３４の内方に本体端部５３の外周が収まるようにして、通気口５１周囲の壁面８７に壁面保護シート１１を貼着する。
【００５４】
図８は図７で示したＶＩＩＩ−ＶＩＩＩラインの拡大図である。
【００５５】
図を参照して、通気口５１の周囲の壁面８７は壁面保護シート１１によって覆われるため、遮蔽体が設けられた通気口の場合と同様に、通気口５１周囲の壁面８７を汚れから防止することができる。
【００５６】
尚、上記の実施の形態では、ＰＥＴ樹脂からなる不織布をシート体としているが、他の樹脂からなる不織布や、紙、フィルム等の他の素材よりなるシート体に対しても同様に適用できる。
【００５７】
又、上記の実施の形態では、不織布は通気口の周囲の全周を覆う大きさであるが、通気口の周囲の少なくとも一部の壁面部分を覆う大きさにすることで、壁面の所定部分だけを汚れから防止しても良い。
【００５８】
更に、上記の実施の形態では、不織布は正方形形状を有しているが、通気口の周囲の壁面を覆うことができるのであれば他の形状であっても良い。
【００５９】
更に、上記の実施の形態では、不織布の製法は、ケミカルボンド法としているが、必ずしもこの方法とする必要はない。
【００６０】
更に、上記の実施の形態では、粘着層をウレタン系の粘着剤から構成しているが、必ずしもウレタン系とする必要はなく、シート体を壁面部分に脱着自在に貼着できる粘着剤を使用して構成すれば良い。
【００６１】
更に、上記の実施の形態では、粘着層は、不織布の外周端部を除いて形成されているが、不織布のほぼ全面に形成されていても良い。従って切断用ミシン目と、調整用ミシン目と、切断阻止用ミシン目との各々のミシン目の周囲にも粘着層が形成されていても良い。
【００６２】
更に、上記の実施の形態では、粘着層は粘着剤をべた塗りすることで形成されているが、粘着剤をドット状、線状、格子状等に塗布することで、粘着層が部分的に形成されていても良い。
【００６３】
更に、上記の実施の形態では、不織布の中央には切断用ミシン目が形成されているが、必ずしも切断用ミシン目を形成する必要は無い。従って、予めシート体の内方の一部が切り取られた壁面保護シートとしても良い。
【００６４】
更に、上記の実施の形態では、切断用ミシン目は正方形形状であるが、通気口の外周形状に応じていれば、その他の形状であっても良い。
【００６５】
更に、上記の実施の形態では、調整用ミシン目が形成されているが、それを形成すること無く、必要に応じて切断用ミシン目の角の各々を外方に切り取る構成としても良い。
【００６６】
更に、上記の実施の形態では、切断用ミシン目と、調整用ミシン目と、切断阻止用ミシン目とからなる組は大小２組形成されているが、必ずしも複数組形成する必要はなく、又、３組以上であっても良い。
【００６７】
更に、上記の実施の形態では、不織布の裂けにくい方向に切断阻止用ミシン目が形成されているが、不織布の裂けやすい方向に形成されていても良く、あるいは切断阻止用ミシン目は形成されていなくても良い。
【００６８】
更に、上記の実施の形態では、不織布の中央には円形形状の開口部が形成されているが、開口部が形成されていない構成としても良い。
【符号の説明】
【００６９】
１１…壁面保護シート
１３…不織布
３８…粘着層
４１、５１、７１…通気口
８７…壁面
１５、２８…第１、第２切断用ミシン目
２０、３０…第１、第２調整用ミシン目
２４、３２…第１、第２切断阻止用ミシン目
尚、各図中同一符号は同一又は相当部分を示す。
【図１】
2014118783.tif 000003
【図２】
2014118783.tif 000004
【図３】
2014118783.tif 000005
【図４】
2014118783.tif 000006
【図５】
2014118783.tif 000007
【図６】
2014118783.tif 000008
【図７】
2014118783.tif 000009
【図８】
2014118783.tif 000010
【図９】
2014118783.tif 000011
【図１０】
2014118783.tif 000012